【手続補正書】
【提出日】平成27年7月14日(2015.7.14)
【手続補正１】
【補正対象書類名】明細書
【補正対象項目名】０００９
【補正方法】変更
【補正の内容】
【０００９】
第１の発明は、香りを提示する嗅覚ディスプレイであって、噴射口を有する筐体、筐体の内部に設けられ、噴射口から香気を噴射させる香気噴射部、筐体の内部に設けられ、噴射口から無臭の空気を噴射させる第１空気噴射部、筐体の内部に設けられ、噴射口から無臭の空気を噴射させる第１空気噴射部とは異なる第２空気噴射部、および香りを提示する期間において、香気噴射部と第１空気噴射部を交互にまたは同時に作動させるとともに、第２空気噴射部を常に作動させる、噴射制御部を備える、嗅覚ディスプレイである。
【手続補正２】
【補正対象書類名】明細書
【補正対象項目名】００１０
【補正方法】変更
【補正の内容】
【００１０】
第１の発明では、嗅覚ディスプレイは、たとえば、パソコンやテレビなどの視聴覚ディスプレイと連動し、映像や音を含むコンテンツに付加して香りをユーザに提示する。筐体は噴出口を有し、この筐体の内部には、噴射口から香気を噴射させる香気噴射部が設けられる。また、筐体の内部には、噴射口から無臭の空気を噴射させる第１空気噴射部が設けられる。さらに、筐体の内部には、噴射口から無臭の空気を噴射させる第１空気噴射部とは異なる第２空気噴射部が設けられる。噴射制御部は、香りを提示する期間において、香気噴射部と第１空気噴射部を交互にまたは同時に作動させるとともに、第２空気噴射部を常に作動させる。
【手続補正３】
【補正対象書類名】明細書
【補正対象項目名】００１１
【補正方法】変更
【補正の内容】
【００１１】
第１の発明によれば、香りを提示する期間において、香気噴射部から噴射される香気と第１空気噴射部から噴射される無臭の空気を交互にまたは同時に噴射させるとともに、第２空気噴射部から常に無臭の空気を噴射させるので、香気と無臭の空気の混合割合に応じて濃度が制御された香りを均一に提示することができる。また、第１空気噴射部および第２空気噴射部から無臭の空気を噴射させるので、香気噴射部および第１空気噴射部または第２空気噴射部を設ける場合よりも、微細な濃度の制御が可能である。
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】変更
【補正の内容】
【００２１】
第４の発明は、第１の発明に従属し、香気噴射部を作動させる期間を所定期間に設定し、提示する香りの濃度に応じて、香りを提示する期間における当該香気噴射部と当該第１空気噴射部を作動させる回数を算出する算出部をさらに備え、噴射制御部は、算出部によって算出された回数だけ、香気噴射部と第１空気噴射部を交互に作動させる。
【手続補正８】
【補正対象書類名】明細書
【補正対象項目名】００２２
【補正方法】変更
【補正の内容】
【００２２】
第４の発明では、算出部は、香気噴射部を作動させる期間を所定期間に設定し、提示する香りの濃度に応じて、香りを提示する期間における当該香気噴射部と当該第１空気噴射部を作動させる回数を算出する。つまり、濃度に応じて、香気噴射部と第１空気噴射部を交互に作動させるための回数が算出される。噴射制御部は、算出部によって算出された回数だけ、香気噴射部と第１空気噴射部を交互に作動させる。
【手続補正９】
【補正対象書類名】明細書
【補正対象項目名】００２３
【補正方法】変更
【補正の内容】
【００２３】
第４の発明においても、香気と無臭の空気の混合割合に応じて濃度が制御された香りを均一に提示することができる。
【手続補正１０】
【補正対象書類名】明細書
【補正対象項目名】００２４
【補正方法】変更
【補正の内容】
【００２４】
第５の発明は、香りを提示する嗅覚ディスプレイであって、各々が近傍に配置される複数の噴射口を有する筐体、筐体の内部に設けられ、複数の噴射口のうちの第１噴射口から香気を噴射させる香気噴射部、筐体の内部に設けられ、複数の噴射口のうちの第１噴射口とは異なる第２噴射口から無臭の空気を噴射させる第１空気噴射部、筐体の内部に設けられ、複数の噴射口のうち第１噴射口および第２噴射口とは異なる第３噴射口から無臭の空気を噴射させる第１空気噴射部とは異なる第２空気噴射部、および香りを提示する期間において、香気噴射部と第１空気噴射部を交互にまたは同時に作動させるとともに、第２空気噴射部を常に作動させる、噴射制御部を備える、嗅覚ディスプレイである。
【手続補正１１】
【補正対象書類名】明細書
【補正対象項目名】００２５
【補正方法】変更
【補正の内容】
【００２５】
第５の発明においても、第１の発明と同様に、香気と無臭の空気の混合割合に応じて濃度が制御された香りを均一に提示することができる。また、微細な濃度の制御が可能である。
【手続補正１２】
【補正対象書類名】特許請求の範囲
【補正対象項目名】全文
【補正方法】変更
【補正の内容】
【特許請求の範囲】
【請求項１】
香りを提示する嗅覚ディスプレイであって、
噴射口を有する筐体、
前記筐体の内部に設けられ、前記噴射口から香気を噴射させる香気噴射部、
前記筐体の内部に設けられ、前記噴射口から無臭の空気を噴射させる第１空気噴射部、
前記筐体の内部に設けられ、前記噴射口から無臭の空気を噴射させる前記第１空気噴射部とは異なる第２空気噴射部、および
前記香りを提示する期間において、前記香気噴射部と前記第１空気噴射部を交互にまたは同時に作動させるとともに、前記第２空気噴射部を常に作動させる、噴射制御部を備える、嗅覚ディスプレイ。
【請求項２】
前記噴射制御部は、前記香気噴射部を作動させる期間および停止させる期間の長さと、前記第１空気噴射部を作動させる期間および停止させる期間の長さを変化させる、請求項１記載の嗅覚ディスプレイ。
【請求項３】
前記噴射制御部は、前記香気噴射部を作動させる期間における前記香気の噴射量を変化させる、請求項１または２記載の嗅覚ディスプレイ。
【請求項４】
前記香気噴射部を作動させる期間を所定期間に設定し、提示する香りの濃度に応じて、前記香りを提示する期間における当該香気噴射部と前記第１空気噴射部を作動させる回数を算出する算出部をさらに備え、
前記噴射制御部は、前記算出部によって算出された回数だけ、前記香気噴射部と前記第１空気噴射部を交互に作動させる、請求項１記載の嗅覚ディスプレイ。
【請求項５】
香りを提示する嗅覚ディスプレイであって、
各々が近傍に配置される複数の噴射口を有する筐体、
前記筐体の内部に設けられ、前記複数の噴射口のうちの第１噴射口から香気を噴射させる香気噴射部、
前記筐体の内部に設けられ、前記複数の噴射口のうちの前記第１噴射口とは異なる第２噴射口から無臭の空気を噴射させる第１空気噴射部、
前記筐体の内部に設けられ、前記複数の噴射口のうち前記第１噴射口および前記第２噴射口とは異なる第３噴射口から無臭の空気を噴射させる前記第１空気噴射部とは異なる第２空気噴射部、および
前記香りを提示する期間において、前記香気噴射部と前記第１空気噴射部を交互にまたは同時に作動させるとともに、前記第２空気噴射部を常に作動させる、噴射制御部を備える、嗅覚ディスプレイ。